(57)【要約】【課題】  ＬＥＤドットマトリックスにおけるドット間の光漏れを防止するとともに、ＬＥＤ素子の交換作業を阻害しないエレベーターの表示装置を提供することを目的とする。【解決手段】  回路基板上に取り付けられ、相互間が区切板により仕切られた複数の発光ダイオード１０によりドット・マトリクスを構成し、エレベーター乗場に設置される表示装置において、前記回路基板の背後に設けられ、前記回路基板全体を均等に押圧する作用力を与える押圧板２４をそなえたことを特徴とするエレベーターの表示装置。【選択図】  図１
2005104601.tif 000002
【特許請求の範囲】
【請求項１】
回路基板上に取り付けられ、相互間が区切板により仕切られた複数の発光ダイオードによりドット・マトリクスを構成し、エレベーター乗場に設置される表示装置において、
前記回路基板の背後に設けられ、前記回路基板全体を均等に押圧する作用力を与える押圧板
をそなえたことを特徴とするエレベーターの表示装置。
【請求項２】
請求項１記載のエレベーターの表示装置において、
前記押圧板は、前記表示装置の筐体と前記回路基板との間に介在するものであるエレベーターの表示装置。
【請求項３】
請求項１記載のエレベーターの表示装置において、
前記押圧板は、前記表示装置の筐体内に設けられた受け板と前記回路基板との間に介在するものであるエレベーターの表示装置。
【発明の詳細な説明】
【技術分野】
【０００１】
本発明は、エレベーターの表示装置に係り、とくに発光ダイオードにより構成されるドット・マトリクスにおける発光ダイオードから周辺への光漏れを防止する構造に関する。
【背景技術】
【０００２】
エレベーターは、利用者に対して階床位置および走行方法を表示するために、かご内および乗場に表示装置が設けられている。この表示装置は、発光ダイオード(以下、単にＬＥＤ と言う。)を用いたドット・マトリクスにより発光表示するものが広く用いられるようになっている。
【０００３】
図３は、エレベーター乗場に設置される表示装置の横断面構造を示したものである。この乗場表示装置は、案内表示部と押釦部との２つの部分により構成される。
【０００４】
案内表示部は、かごの階床位置を示す階床表示およびエレベーターの走行方向を示す方向表示を行うものである。そして、案内表示部は、乗場壁１の外面２に、裏板３および表面板４により構成されるケーシングを取り付け、このケーシングに各種表示要素を組み込んでいる。
【０００５】
すなわち、表面板４の中央部には光拡散板５を配し、ケーシング内部の光拡散板５に対応する位置に位置表示基板６を設ける。そして、位置表示基板６の下方には制御基板７を、更に下方には押釦基板８を配する。
【０００６】
位置表示基板６は、表面板４に対してＬＥＤ区切板９を介して固定されており、位置表示基板６におけるＬＥＤ区切板９で区切られた各領域に発光ダイオードつまりＬＥＤ１０が配置されており、ＬＥＤ１０の周囲に導光空間１１が形成されている。
【０００７】
位置表示基板６は、スタッド１２により光拡散板５とともに表面板４に固定されており、各基板６，７および８相互間はコネクタ１３およびケーブル１９により接続されている。制御基板７には、制御回路１４が設けられており、押釦基板８には押釦操作部１５およびスイッチ１６が設けられている。
【０００８】
１７は裏板３に表面板４を固定するねじであり、１８は、裏板３を壁に固定するねじである。また、２１は電源および通信線であり、配線ダクト２２に設けられた外線コネクタ２３を通って配線されている。
【０００９】
そして、図４は、図３に示した位置表示基板６を乗場側から見た外観図である。この図４に示すように、ＬＥＤ区切板９により形成された各区分にＬＥＤ１０が配されてドット・マトリクスが形成されている。
【００１０】
上述の表示装置に用いられる位置表示基板６は、一般にガラス繊維を含んだエポキシ樹脂製であり、弾力性があって温度上昇等により反り易い。この反りが原因となって、位置制御基板６上に取り付けられるＬＥＤ１０の底部との間に隙間２０を生じることがある。
【００１１】
ＬＥＤ１０は、ガラスハウジング内に収容されているため、発生した光は周囲に放射される。そして、位置表示基板６とＬＥＤ１０の底部との間に隙間２０があると、この隙間２０から他の区分に向かって光が漏れ出す。
【００１２】
この結果、ＬＥＤ１０により構成されるドット・マトリクスのドット間の境界を越えて光が放射されることになり、ドットが相互に独立発光して表示することができないため、表示内容が不鮮明になる。
【発明の開示】
【発明が解決しようとする課題】
【００１３】
この対策として、従来、位置表示基板６をＬＥＤ区切板９に接着固定するとか、かしめ固定することが考えられ、これにより位置表示基板６をＬＥＤ区切板９に密着させることができる。
【００１４】
しかしながら、このように固定すると、その後に分離することができず、ＬＥＤチップの交換等の作業性を損なうことになる。また、かしめ固定の場合は、パターン配線とか部品搭載位置に制約が出てくる。
【００１５】
本発明は上述の点を考慮してなされたもので、ＬＥＤドットマトリックスにおけるドット間の光漏れを防止するとともに、ＬＥＤ素子の交換作業を阻害しないエレベーターの表示装置を提供することを目的とする。
【課題を解決するための手段】
【００１６】
上記目的達成のため、本発明では、
回路基板上に取り付けられ、相互間が区切板により仕切られた複数の発光ダイオードによりドット・マトリクスを構成し、エレベーター乗場に設置される表示装置において、前記回路基板の背後に設けられ、前記回路基板全体を均等に押圧する作用力を与える押圧板をそなえたことを特徴とするエレベーターの表示装置、
を提供するものである。
【発明の効果】
【００１７】
本発明は上述のように、回路基板に取り付けられたＬＥＤによりドット・マトリクスを構成する表示装置における前記回路基板を、背後から押圧板により均等に押圧するようにしたため、光漏れの原因となる回路基板の反りを防止することができる。
【発明を実施するための最良の形態】
【００１８】
実施例１
図１は、本発明の一実施例の側断面構造を示す部分側断面図である。この図１において、図３および図４と同一符号は同一要素を示している。そして、押圧板２４が、本発明で新たに追加された要素であり、位置表示基板６とケーシングの裏板３との間に介挿されて、位置表示基板６に対して背後から押圧力を作用させる。この押圧板２４は、例えば樹脂製であって適度の剛性を持っている。
【００１９】
押圧板２４は、区切板９を各別に光拡散板５に向けて押し付けるように、回路基板６の背後から作用力を与える。これにより、回路基板６は、押圧板２４から与えられる押圧力により、各区切板９の底部に押し付けられ、回路基板６が平坦状態を保つから、区切板９との間に隙間を生じることがない。
【００２０】
押圧板２４は、回路基板６とともにケーシングの表面板４にねじ止めされている。そして、押圧板２４は、回路基板６に対しては、区切板９の位置に設けられた突起により当接する一方、ケーシングの裏板３に対しては図示の場合３つの脚部により当接している。これにより、押圧板２４は、ケーシングの裏板３と回路基板６との間に介在して、回路基板６を背後から押圧することにより回路基板６を平坦な状態に保つ。
【００２１】
この結果、回路基板６の反りに起因してＬＥＤ１０の底部と回路基板６の面との間に隙間が生じることが防止される。
【００２２】
実施例２
図２は、本発明の第２の実施例を示す部分側断面図である。この実施例では、押圧板２４がケーシングの裏板３に当接するのではなく、裏板３から浮くように表面板４に固定された受板２５に当接する構造となっている。
【００２３】
受板２５は、図１の実施例における裏板３の役目を持つものであるから、高い剛性を持つことが望ましい。そして、受板２５は、例えばスリーブとボルトとにより構成される受板固定部２６によって表面板４に固定されるので、受板固体部２６の強度を適宜選定する必要がある。
【図面の簡単な説明】
【００２４】
【図１】本発明の一実施例の構成を示す説明図。
【図２】本発明の他の実施例を示す説明図。
【図３】従来のエレベーターの表示装置の構造を示す側断面図。
【図４】従来のエレベーターの表示装置の外観を示す説明図。
【符号の説明】
【００２５】
１  乗場壁
２  乗場壁表面
３  ケーシング裏板
４  ケーシング表面板、
５  光拡散板
６  回路基板
７  位置表示基板
８  押釦基板、
９  ＬＥＤ区切板
１０  ＬＥＤ
１１  導光空間
１２  スタッド、
１３  コネクタ
１４  制御回路
１５  押釦操作部
１６  スイッチ
１７，１８  ねじ
１９  ケーブル
２０  隙間
２１  電源および通信線、
２２  配線ダクト
２３  外線コネクタ
２４  押圧板
２５  受板
２６  受板固定部
【図１】
2005104601.tif 000003
【図２】
2005104601.tif 000004
【図３】
2005104601.tif 000005
【図４】
2005104601.tif 000006
【手続補正書】
【提出日】平成15年10月22日(2003.10.22)
【手続補正１】
【補正対象書類名】図面
【補正対象項目名】全図
【補正方法】変更
【補正の内容】
【図１】
2005104601.tif 000007
【図２】
2005104601.tif 000008
【図３】
2005104601.tif 000009
【図４】
2005104601.tif 000010